(57)【要約】【課題】自動車のバッテリのような外部の電源供給装置に頼る必要がなく、長時間安定して散水作業を行うことができる散水装置の電源装置を提供する。【解決手段】散水装置の電源装置１は、バッテリ２０と、バッテリ２０に充電する発電機１０１と、バッテリ２０の電圧を検出する電圧検出部４０と、電圧検出部４０により検出されたバッテリ２０の電圧が、第１の閾値ＳＨ１よりも低下したら発電機１０１を駆動してバッテリ２０に充電し、電圧検出部４０により検出されたバッテリ２０の電圧が、第１の閾値ＳＨ１よりも高い第２の閾値ＳＨ２になったらバッテリ２０への充電を停止する制御部３０を有する。【選択図】図３
2018109347.tif 000002
【特許請求の範囲】
【請求項１】
バッテリと、
前記バッテリに充電する発電機と、
前記バッテリの電圧を検出する電圧検出部と、
前記電圧検出部により検出された前記電圧が、第１の閾値よりも低下したら前記発電機を駆動して前記バッテリに充電し、前記電圧が、前記第１の閾値よりも高い第２の閾値になったら前記バッテリへの充電を停止する制御部と、を有することを特徴とする散水装置の電源装置。
【請求項２】
前記制御部は、前記発電機が駆動可能かどうかを監視しており、前記発電機が駆動しない場合には、前記制御部は、情報端末に対して前記発電機が駆動しない旨の通報をさせる通報装置を有することを特徴とする請求項１に記載の散水装置の電源装置。
【請求項３】
前記制御部は、前記電圧検出部により検出された前記電圧が第１の閾値よりも低下したときと、前記電圧が前記第２の閾値になったときには、前記通報装置に指令をして情報端末に対して通報させることを特徴とする請求項２に記載の散水装置の電源装置。
【請求項４】
前記散水装置の電源装置は、走行可能になっていることを特徴とする請求項１乃至３のいずれかに記載の散水装置の電源装置。
【請求項５】
請求項１乃至４のいずれか１項に記載の散水装置の電源装置によって供給される電力で駆動する前記散水装置において、
打設されたコンクリートの初期養生のために前記コンクリートに散水する散水部と、
前記コンクリートの湿潤状態を検出する湿潤状態検出部と、
を有し、前記制御部は、前記湿潤状態検出部によって検出された前記コンクリートの湿潤状態に応じて、前記散水部による散水を制御するように構成されていることを特徴とする散水装置。
【請求項６】
請求項５に記載の散水装置において、
前記湿潤状態検出部は、
湿潤状態検出体と、
前記コンクリートに設置され、前記湿潤状態検出体のセンサ部が前記コンクリートから所定の距離だけ離れるように前記湿潤状態検出体を支持する湿潤状態検出体支持体と、
前記湿潤状態検出体支持体と前記湿潤状態検出体支持体に支持されている前記湿潤状態検出体とが前記コンクリートに設置された状態で、前記湿潤状態検出体と前記湿潤状態検出体支持体とを覆う養生マットと、
を有し、前記コンクリートに設置された前記湿潤状態検出体支持体とこの湿潤状態検出体支持体によって支持されている湿潤状態検出体とを、前記養生マットで覆っている状態では、前記養生マットが前記湿潤状態検出体支持体によって支持されており、前記コンクリートと前記養生マットとで、前記湿潤状態検出体のまわりに閉空間が形成されていることを特徴とする散水装置。
【請求項７】
請求項５または請求項６に記載の散水装置において、
計時部と動作切り換え部とを有し、
前記制御部は、前記動作切り換え部からの入力信号に応じて、前記湿潤状態検出部によって検出された前記コンクリートの湿潤状態に応じて前記散水部による散水を制御するか、もしくは、前記計時部で計測した時刻の経過に応じて前記散水部による散水を制御するように構成されていることを特徴とする散水装置。
【請求項８】
打設されたコンクリートの初期養生のために前記コンクリートに散水する散水部と、
前記コンクリートの湿潤状態を検出する湿潤状態検出部と、
前記湿潤状態検出部によって検出された前記コンクリートの湿潤状態に応じて、前記散水部による散水を制御する制御部と、
を有することを特徴とする散水装置。
【請求項９】
請求項８に記載の散水装置において、
前記湿潤状態検出部は、
湿潤状態検出体と、
打設されたコンクリートに設置され、前記湿潤状態検出体のセンサ部が前記コンクリートから所定の距離だけ離れるように前記湿潤状態検出体を支持する湿潤状態検出体支持体と、
前記湿潤状態検出体支持体と前記湿潤状態検出体支持体に支持されている前記湿潤状態検出体とが前記コンクリートに設置された状態で、前記湿潤状態検出体と前記湿潤状態検出体支持体とを覆う養生マットと、
を有し、前記コンクリートに設置された前記湿潤状態検出体支持体とこの湿潤状態検出体支持体によって支持されている湿潤状態検出体とを、前記養生マットで覆っている状態では、前記養生マットが前記湿潤状態検出体支持体によって支持されており、前記コンクリートと前記養生マットとで、前記湿潤状態検出体のまわりに閉空間が形成されていることを特徴とする散水装置。
【請求項１０】
請求項８または請求項９に記載の散水装置において、
計時部と動作切り換え部とを有し、
前記制御部は、前記動作切り換え部からの入力信号に応じて、前記湿潤状態検出部によって検出された前記コンクリートの湿潤状態に応じて前記散水部による散水を制御するか、もしくは、前記計時部で計測した時刻の経過に応じて前記散水部による散水を制御するように構成されていることを特徴とする散水装置。
【請求項１１】
湿潤状態検出体と、
打設されたコンクリートに設置され、前記湿潤状態検出体のセンサ部が前記コンクリートから所定の距離だけ離れるように前記湿潤状態検出体を支持する湿潤状態検出体支持体と、
前記湿潤状態検出体支持体と前記湿潤状態検出体支持体に支持されている前記湿潤状態検出体とが前記コンクリートに設置された状態で、前記湿潤状態検出体と前記湿潤状態検出体支持体とを覆う養生マットと、
を有し、前記コンクリートに設置された前記湿潤状態検出体支持体とこの湿潤状態検出体支持体によって支持されている湿潤状態検出体とを、前記養生マットで覆っている状態では、前記養生マットが前記湿潤状態検出体支持体によって支持されており、前記コンクリートと前記養生マットとで、前記湿潤状態検出体のまわりに閉空間が形成されていることを特徴とする湿潤状態検出部装置。
【発明の詳細な説明】
【技術分野】
【０００１】
本発明は、バッテリからの電源供給により散水装置を動作させるための散水装置の電源装置、散水装置および湿潤状態検出装置に関する。
【背景技術】
【０００２】
特許文献１には、屋外で使用される散水装置が開示されている。この散水装置は、散水ポンプの電動モータを駆動することにより、貯水タンク内から散水することができる。この散水ポンプの電動モータは、自動車のバッテリに電気的に接続されている車室内シガーソケットに接続することで電源供給を得ており、屋外で電源を確保している。
【０００３】
また、路盤に敷設（打設）されたコンクリートの初期養生をする場合、特許文献２で示すように、散水車を作業者が運転して移動しつつコンクリート上に散水している。
【０００４】
このような従来の散水では、専用の車輌が必要になるとともに、散水作業の間中、作業者がついていなければならず、高価な設備が必要であるとともに作業者の作業時間が長くなってしまう。そこで、車両を用いることなく、道路脇に設置された水タンクと灌水ホースと水タンク内の水を灌水ホースに供給する水供給部とを備え、灌水ホースから打設されたコンクリートに散水をする散水装置を考えることができる。
【先行技術文献】
【特許文献】
【０００５】
【特許文献１】実用新案登録第３１８１７５２号公報
【特許文献２】特開平１１−１５８８１０号公報
【発明の概要】
【発明が解決しようとする課題】
【０００６】
ところが、特許文献１の散水装置の散水ポンプが散水する際には、電動モータの電源を得て散水動作をするために、自動車のバッテリの充電状態を良好に保つ必要がある。このため、自動車のエンジンをかけてバッテリに充電しなければ、長時間安定して散水作業を行うことは難しく、散水領域に散水するには不向きである。
【０００７】
また、道路脇に設置された水タンクと灌水ホースと水タンク内の水を灌水ホースに供給する水供給部とを備え、灌水ホースから打設されたコンクリートに散水をする散水装置では、打設したコンクリートに適量の水を散水することができない場合があるという問題がある。
【０００８】
また、打設されたコンクリートの養生のために打設されたコンクリートに散水をする場合、散水に要する水の節約をはかるために、打設されたコンクリートの湿潤状態を適切に検出することも重要である。
【０００９】
本発明は、上記に鑑みてなされたもので、その目的とするところは、自動車のバッテリのような外部の電源供給装置に頼る必要がなく、長時間安定して散水作業を行うことができる散水装置の電源装置を提供することにある。
【００１０】
また、本発明は、上記問題点に鑑みてなされたもので、打設されたコンクリートの養生のために打設されたコンクリートに適量の水を散水することができる散水装置を提供することを目的とする。
【００１１】
また、本発明は、打設されたコンクリートの養生のために打設されたコンクリートに散水するときに、打設されたコンクリートの湿潤状態を適切に検出することができる湿潤状態検出装置を提供することを目的とする。
【課題を解決するための手段】
【００１２】
上記課題を達成するため、請求項１に記載の散水装置の電源装置は、バッテリと、前記バッテリに充電する発電機と、前記バッテリの電圧を検出する電圧検出部と、前記電圧検出部により検出された前記電圧が、第１の閾値よりも低下したら前記発電機を駆動して前記バッテリに充電し、前記電圧が、前記第１の閾値よりも高い第２の閾値になったら前記バッテリへの充電を停止する制御部と、を有することを特徴とする。
【００１３】
請求項１に記載の散水装置の電源装置では、制御部は、電圧検出部により検出された電圧が、第１の閾値よりも低下したら発電機を駆動してバッテリに充電し、電圧が、第１の閾値よりも高い第２の閾値になったらバッテリへの充電を停止する。これにより、バッテリの電圧は、常に第１の閾値よりも低下しないように充電して第２の閾値に達すると充電を止めるので、バッテリの電圧は適正な値を維持できる。このため、散水装置の電源装置は、自動車のバッテリのような外部の電源供給装置に頼る必要がなく、長時間安定して散水作業を行うことができる。
【００１４】
請求項２に記載の散水装置の電源装置では、前記制御部は、前記発電機が駆動可能かどうかを監視しており、前記発電機が駆動しない場合には、前記制御部は、情報端末に対して前記発電機が駆動しない旨の通報をさせる通報装置を有することを特徴とする。
【００１５】
請求項２に記載の散水装置の電源装置では、発電機が駆動せずにバッテリに充電することができない場合には、制御部は、通報装置を動作させて発電機が駆動しない旨の通報をすることができる。このため、発電機が駆動しない旨を、使用者の情報端末に確実に知らせることができる。
【００１６】
請求項３に記載の散水装置の電源装置では、前記制御部は、前記電圧検出部により検出された前記電圧が第１の閾値よりも低下したときと、前記電圧が前記第２の閾値になったときには、前記通報装置に指令をして情報端末に対して通報させることを特徴とする。
【００１７】
請求項３に記載の散水装置の電源装置では、制御部は、電圧検出部により検出された電圧が第１の閾値よりも低下したときと、電圧が第２の閾値になったときには、通報装置に指令をして情報端末に対して通報させる。このため、制御部が発電機を駆動してバッテリの充電を始めたときと、バッテリの電圧が第２の閾値になって充電を終了するときを、通報装置を動作させて、使用者の情報端末に確実に知らせることができる。
【００１８】
請求項４に記載の散水装置の電源装置では、前記散水装置の電源装置は、走行可能になっている。
【００１９】
請求項４に記載の散水装置の電源装置では、散水装置が散水しようとする広い散水領域において、散水装置の電源装置は散水装置の移動に伴って移動させることができ、散水装置により広い散水領域に対して確実に散水することができる。
【００２０】
請求項５に記載の発明は、請求項１〜請求項４のいずれか１項に記載の散水装置の電源装置によって供給される電力で駆動する前記散水装置において、打設されたコンクリートの初期養生のために前記コンクリートに散水する散水部と、前記コンクリートの湿潤状態を検出する湿潤状態検出部とを有し、前記制御部は、前記湿潤状態検出部によって検出された前記コンクリートの湿潤状態に応じて、前記散水部による散水を制御するように構成されている散水装置である。
【００２１】
請求項６に記載の発明は、請求項５に記載の散水装置において、前記湿潤状態検出部は、湿潤状態検出体と、前記コンクリートに設置され、前記湿潤状態検出体のセンサ部が前記コンクリートから所定の距離だけ離れるように前記湿潤状態検出体を支持する湿潤状態検出体支持体と、前記湿潤状態検出体支持体と前記湿潤状態検出体支持体に支持されている前記湿潤状態検出体とが前記コンクリートに設置された状態で、前記湿潤状態検出体と前記湿潤状態検出体支持体とを覆う養生マットとを有し、前記コンクリートに設置された前記湿潤状態検出体支持体とこの湿潤状態検出体支持体によって支持されている湿潤状態検出体とを、前記養生マットで覆っている状態では、前記養生マットが前記湿潤状態検出体支持体によって支持されており、前記コンクリートと前記養生マットとで、前記湿潤状態検出体のまわりに閉空間が形成されている散水装置である。
【００２２】
請求項７に記載の発明は、請求項５または請求項６に記載の散水装置において、計時部と動作切り換え部とを有し、前記制御部は、前記動作切り換え部からの入力信号に応じて、前記湿潤状態検出部によって検出された前記コンクリートの湿潤状態に応じて前記散水部による散水を制御するか、もしくは、前記計時部で計測した時刻の経過に応じて前記散水部による散水を制御するように構成されている散水装置である。
【００２３】
請求項８に記載の発明は、打設されたコンクリートの初期養生のために前記コンクリートに散水する散水部と、前記コンクリートの湿潤状態を検出する湿潤状態検出部と、前記湿潤状態検出部によって検出された前記コンクリートの湿潤状態に応じて、前記散水部による散水を制御する制御部を有する散水装置である。
【００２４】
請求項９に記載の発明は、請求項８に記載の散水装置において、前記湿潤状態検出部は、湿潤状態検出体と、打設されたコンクリートに設置され、前記湿潤状態検出体のセンサ部が前記コンクリートから所定の距離だけ離れるように前記湿潤状態検出体を支持する湿潤状態検出体支持体と、前記湿潤状態検出体支持体と前記湿潤状態検出体支持体に支持されている前記湿潤状態検出体とが前記コンクリートに設置された状態で、前記湿潤状態検出体と前記湿潤状態検出体支持体とを覆う養生マットとを有し、前記コンクリートに設置された前記湿潤状態検出体支持体とこの湿潤状態検出体支持体によって支持されている湿潤状態検出体とを、前記養生マットで覆っている状態では、前記養生マットが前記湿潤状態検出体支持体によって支持されており、前記コンクリートと前記養生マットとで、前記湿潤状態検出体のまわりに閉空間が形成されている散水装置である。
【００２５】
請求項１０に記載の発明は、請求項８または請求項９に記載の散水装置において、計時部と動作切り換え部とを有し、前記制御部は、前記動作切り換え部からの入力信号に応じて、前記湿潤状態検出部によって検出された前記コンクリートの湿潤状態に応じて前記散水部による散水を制御するか、もしくは、前記計時部で計測した時刻の経過に応じて前記散水部による散水を制御するように構成されている散水装置である。
【００２６】
請求項１１に記載の発明は、湿潤状態検出体と、打設されたコンクリートに設置され、前記湿潤状態検出体のセンサ部が前記コンクリートから所定の距離だけ離れるように前記湿潤状態検出体を支持する湿潤状態検出体支持体と、前記湿潤状態検出体支持体と前記湿潤状態検出体支持体に支持されている前記湿潤状態検出体とが前記コンクリートに設置された状態で、前記湿潤状態検出体と前記湿潤状態検出体支持体とを覆う養生マットとを有し、前記コンクリートに設置された前記湿潤状態検出体支持体とこの湿潤状態検出体支持体によって支持されている湿潤状態検出体とを、前記養生マットで覆っている状態では、前記養生マットが前記湿潤状態検出体支持体によって支持されており、前記コンクリートと前記養生マットとで、前記湿潤状態検出体のまわりに閉空間が形成されている湿潤状態検出部装置である。
【発明の効果】
【００２７】
請求項１〜請求項７に記載の発明によれば、自動車のバッテリのような外部の電源供給装置に頼る必要がなく、長時間安定して散水作業を行うことができる散水装置の電源装置を提供できる。
【００２８】
また、請求項５〜請求項１０に記載の発明によれば、打設されたコンクリートの養生のために打設されたコンクリートに適量の水を散水することができる。
【００２９】
また、請求項６、請求項７、請求項９〜請求項１１に記載の発明によれば、打設されたコンクリートの湿潤状態を適切に検出することができる。
【図面の簡単な説明】
【００３０】
【図１】本発明の散水装置の電源装置の好ましい実施形態を示す側面図である。
【図２】図１に示す散水装置の電源装置の平面図である。
【図３】散水装置の電源装置と散水装置の電気的な構成例を示すブロック図である。
【図４】変形例に係る散水装置の電源装置と散水装置の電気的な構成例を示すブロック図である。
【図５】変形例に係る散水装置の概略構成を示す図である。
【図６】変形例に係る散水装置で使用される湿度検出部を示す図であり、（ａ）は正面図であり、（ｂ）は平面図であり、（ｃ）は底面図であり、（ｄ）は左側面図であり、（ｅ）は右側面図である。
【図７】湿潤状態検出部の使用状態を示す図であり、（ｂ）は（ａ）におけるＶＩＩＢ−ＶＩＩＢ断面を示す図であり、（ｃ）は（ａ）におけるＶＩＩＣ−ＶＩＩＣ断面を示す図である。
【図８】変形例に係る湿潤状態検出部を示す図であり、（ａ）は正面図であり、（ｂ）は平面図であり、（ｃ）は左側面図である。
【発明を実施するための形態】
【００３１】
以下、図面を用いて、本発明を実施するための形態(以下、実施形態と称する)を説明する。
【００３２】
（散水装置の電源装置１の全体構成）
図１は、本発明の散水装置の電源装置の好ましい実施形態を示す側面図である。図２は、図１に示す散水装置の電源装置１の平面図である。図３は、散水装置の電源装置１と散水装置１００の電気的な構成例を示すブロック図である。
【００３３】
図１から図３に示す散水装置の電源装置１は、図３に示す散水装置１００に電気的に接続することで、散水装置１００に対して電源を供給する。この散水装置の電源装置１は、好ましくは屋外で使用される防水型の電源装置である。この散水装置の電源装置１は、発電機１０１を駆動してバッテリ２０を充電することで、バッテリ２０の電圧を適正値にして、バッテリ２０から電源を散水装置１００に供給する。これにより、散水装置１００は、自動車のバッテリのような外部の電源供給装置に頼る必要がなく、長時間安定して散水作業を行うことができる。これにより、散水装置１００は、好ましくは耐久性の高いコンクリート舗装を施工の際に湿潤養生を行うために散水することができる。
【００３４】
図１と図２に示すように、散水装置の電源装置１は、台車２と、制御盤３と、バッテリボックス４と、通報装置５等を備える。
【００３５】
図２に示すように、台車２は、一対の金属製の板状の部材６と、長方形状の金属製の枠体７を有する。図２に示すように、一対の板状の部材６は平行に配置されており、枠体７は、一対の板状の部材６に、例えば溶接等で固定されている。図１に示すように、複数の走行用のタイヤ８が、枠体７の下部の四隅の位置に配置されている。
【００３６】
これにより、散水装置の電源装置１は、複数のタイヤ８を用いて、自由に走行可能である。このため、図３の散水装置１００を用いて広い領域に散水する場合に、散水装置の電源装置１は、散水装置１００が移動するのに伴って、自由に移動させることができる。このため、散水装置１００は、散水装置の電源装置１からの電源供給を受けながら、広い散水領域に対して、長時間であっても確実に散水することができる。
【００３７】
図１に示すように、各タイヤ８は、車輪止め９を装着することにより、回転しないように止めることができる。これにより、例えば、散水装置１００の位置を固定して散水作業を行う場合に、散水装置１００が散水動作をしている際には、散水装置の電源装置１の台車２の位置を移動させないように確実に固定できる。また、各タイヤ８は、車輪止め９を装着することにより、散水装置の電源装置１を保管しておく場合には、散水装置の電源装置１の台車２を移動させないように、台車２の位置を確実に固定できる。
【００３８】
図１と図２に示すように、台車２の上には、好ましくは制御盤３とバッテリボックス４が並べて設けられている。制御盤３の側面には、通報装置５が着脱式に取り付けられている。これにより、通報装置５は、散水装置の電源装置１に配置したり、必要がない時には散水装置の電源装置１から取り外すことができる。
【００３９】
図２に示すように、台車２の上には、車輪止めケース１０が左右２か所に設けられている。これにより、車輪止めケース１０は、上述した複数の車輪止め９を使用しないときに、車輪止め９を収容しておくことができる。
【００４０】
また、台車２の四隅部分には、吊り上げ用の吊ボルト１１が設けられている。これにより、台車２は、例えば吊ボルト１１にフックを掛けることで、吊り上げて搬送できる。
【００４１】
図２に示すように、バッテリボックス４内には、複数台のバッテリ２０が並べて収容されている。図１に示すように、バッテリボックス４には、複数個所に、通気口２１が設けられている。これにより、バッテリボックス４内のバッテリ２０の熱を、通気口２１を通じて排出する。
【００４２】
（散水装置の電源装置１と散水装置１００の構成）
次に、図３を参照して、上述した散水装置の電源装置１と、散水装置１００の電気的な構成例を説明する。
【００４３】
図３に例示するように、散水装置の電源装置１は、バッテリ２０と、制御部３０と、電圧検出部４０を有する。散水装置１００は、複数台の散水ポンプ１０２、図示例では２台の散水ポンプ１０２を備える。散水ポンプ１０２は電動モータ１０３を有し、各電動モータ１０３は、バッテリ２０からの電源供給により駆動される。
【００４４】
また、散水ポンプ１０２の電動モータ１０３は、必要に応じて、発電機１０１の駆動により発電機１０１からの直接の電源供給を行うことでも、駆動できる。これにより、バッテリ２０が不調な場合でも、電動モータ１０３は、発電機１０１の駆動により駆動できる。
【００４５】
図３に例示するように、散水装置の電源装置１の制御盤３の中には、制御部３０と、電圧検出部４０が配置されている。バッテリボックス４の中には、複数台のバッテリ２０が収容されている。この制御部３０は、バッテリ２０と発電機１０１と複数の散水ポンプ１０２のシステムを制御するシステム制御部ということができる。
【００４６】
各バッテリ２０は、例えば充放電可能なリチウムイオン電池等の二次電池であるが、特に電池の種類は限定されない。バッテリ２０は、制御部３０に電気的に接続されている。バッテリ２０は、制御部３０を介して、散水ポンプ１０２の電動モータ１０３に対して電源供給Ｒをする。
【００４７】
発電機１０１が発電した電力Ｔは、制御部３０を介してバッテリ２０に充電する。発電機１０１を駆動させるための駆動信号Ｄが、制御部３０から発電機１０１に送られると、発電機１０１が駆動して、バッテリ２０に充電をする。
【００４８】
また、バッテリ２０は、バッテリ２０の電圧Ｖを、常時もしくは一定時間ごとに検出するために、電圧検出部４０に電気的に接続されている。バッテリ２０の電圧Ｖは、電圧検出部４０により検出しており、電圧検出部４０が検出したバッテリ２０の電圧Ｖの値に応じた検出信号ＳＶは、電圧検出部４０から制御部３０に送る。これにより、制御部３０は、電圧Ｖの検出信号ＳＶを受けることで、バッテリ２０が発生する電圧Ｖを、常時もしくは一定時間ごとに監視している。
【００４９】
図３に示す通報装置５は、自動通報装置ともいい、例えば使用者のスマートホンや携帯電話やコンピュータ等の情報端末６０に、自動的にショートメール等の送信内容情報Ｆを送信できる。
【００５０】
通報装置５が、送信内容情報Ｆを情報端末６０に送る場合の例としては、制御部３０から駆動信号Ｄを発電機１０１に送っても、発電機１０１が、何らかの原因により駆動しない等の発電機１０１の異常の場合である。
【００５１】
また、通報装置５が、送信内容情報Ｆを情報端末６０に送る別の場合の例としては、制御部３０が、検出信号ＳＶを受けることでバッテリ２０の電圧Ｖの電圧を監視しているが、バッテリ２０の電圧Ｖが、予め定めた第１の閾値ＳＨ１（例えば２３ボルト）をよりも低下した場合、あるいはバッテリ２０の電圧Ｖが、予め定めた第２の閾値ＳＨ２（例えば２５ボルト）になった場合である。第２の閾値ＳＨ２は、第１の閾値ＳＨ１よりも大きい値である。
【００５２】
これにより、使用者は、情報端末６０に通報装置５から届いた送信内容情報Ｆにより、散水装置１の発電機１０１の異常や、バッテリ２０の電圧Ｖの値やバッテリ２０の状態を、確認することができる。
【００５３】
（散水装置の電源装置１の動作例）
次に、上述した散水装置の電源装置１の動作例を説明する。
【００５４】
図３に示す発電機１０１を駆動する駆動信号Ｄが、制御部３０から発電機１０１に送られると、発電機１０１が駆動する。発電機１０１が発電した電力Ｔは、制御部３０を介してバッテリ２０に充電をする。
【００５５】
各散水ポンプ１０２の電動モータ１０３は、充電されたバッテリ２０からの電源供給Ｒにより駆動される。すなわち、バッテリ２０は、制御部３０を介して、散水ポンプ１０２の電動モータ１０３に対して電源供給Ｒをする。これにより、散水ポンプ１０２は、例えば建屋の外壁等、庭の木々、広場等の散水対象に対して散水することができる。
【００５６】
バッテリ２０の電圧Ｖは、電圧検出部４０により常時もしくは一定時間ごとに検出している。電圧検出部４０は、検出したバッテリ２０の電圧Ｖの検出信号ＳＶは、制御部３０に通知する。これにより、制御部３０は、電圧Ｖを示す検出信号ＳＶを受けることで、バッテリ２０が発生する電圧Ｖを常時もしくは一定時間ごとに監視している。
【００５７】
このように、制御部３０が、バッテリ２０の電圧Ｖの電圧を監視しているが、バッテリ２０の電圧Ｖの電圧が、予め定めた第１の閾値ＳＨ１（例えば２３ボルト）をよりも低下した場合には、制御部３０はバッテリ２０の充電状態が良好ではないと判断する。これにより、制御部３０は駆動信号Ｄを送って発電機１０１を駆動することで、発電機１０１は、電力Ｔをバッテリ２０へ送ってバッテリ２０の充電をする。
【００５８】
また、バッテリ２０の電圧Ｖの電圧が、予め定めた第２の閾値ＳＨ２（例えば２５ボルト）になった（達した）場合には、制御部３０はバッテリ２０の充電状態が良好であると判断する。これにより、制御部３０は駆動信号Ｄを止めて発電機１０１を停止して、発電機１０１からバッテリ２０への充電を停止する。
【００５９】
このように制御部３０は、バッテリ２０への充電動作の開始と、充電動作の停止をすることで、制御部３０は、バッテリ２０の電圧Ｖを、第１の閾値ＳＨ１から第２の閾値ＳＨ２の間の適正な電圧値に維持することができる。この適正な電圧値とは、散水ポンプ１０２の電動モータ１０３を適切に駆動させるために必要な電圧値である。これにより、散水装置１００は、自動車のバッテリのような外部の装置に頼る必要がなく、いつでも長時間散水作業を維持することができる。
【００６０】
もし、制御部３０が、バッテリ２０の電圧Ｖの電圧を監視していて、バッテリ２０の電圧Ｖが、予め定めた第１の閾値ＳＨ１をよりも低下した場合には、好ましくは、通報装置５は制御部３０の指令により自動的に動作して、情報端末６０に、自動的にショートメール等の送信内容情報Ｆを送信することができる。
【００６１】
これにより、使用者は、例えば散水装置１００から離れた位置にいたとしても、通報装置５に届いた送信内容情報Ｆにより、発電機１０１がバッテリ２０への充電動作を開始したことを通知されるので、発電機１０１がバッテリ２０への充電動作を開始したことを確認することができる。
【００６２】
また、バッテリ２０の電圧Ｖが、予め定めた第２の閾値ＳＨ２になった（達した）場合には、通報装置５は、制御部３０の指令により、情報端末６０に、自動的にショートメール等の送信内容情報Ｆを送信することができる。これにより、使用者は、例えば散水装置１００から離れた位置にいたとしても、通報装置５に届いた送信内容情報Ｆにより、発電機１０１がバッテリ２０への充電動作を停止したことを通知されるので、発電機１０１がバッテリ２０への充電動作を停止したことを確認することができる。
【００６３】
また、制御部３０から駆動信号Ｄを発電機１０１に送っても、発電機１０１が駆動しない場合等、発電機１０１に異常がある場合でも、通報装置５は、制御部３０の指令により、情報端末６０に、自動的にショートメール等の送信内容情報Ｆを送信する。これにより、使用者は、例えば散水装置１００から離れた位置にいたとしても、通報装置５に届いた送信内容情報Ｆにより、散水装置１の発電機１０１が駆動しない異常状態が発生したことを、確認することができる。
【００６４】
上述した散水装置１００の使用目的は、好ましくは耐久性の高いコンクリート舗装を施工するために、湿潤養生に散水することである。これにより、コンクリート舗装をする際の湿潤養生を確実に行うことができる。この際に、散水装置の電源装置１は、散水装置１００に電源供給をする。コンクリートの養生に関しては、コンクリート強度が発生するまで、昼夜間を問わず湿潤状態に保つ必要があり、また、散水が均一に行われる必要がある。そこで、散水装置１００は、散水装置の電源装置１からの電源供給を受けることにより、均一な散水ができるので、コンクリート舗装をする際の湿潤（散水）養生を自動化することができる。
【００６５】
上述したように、本発明の実施形態の散水装置の電源装置１は、バッテリ２０と、バッテリ２０に充電する発電機１０１と、バッテリ２０の電圧を検出する電圧検出部４０と、電圧検出部４０により検出された電圧Ｖが、第１の閾値ＳＨ１よりも低下したら発電機１０１を駆動してバッテリ２０に充電し、電圧検出部４０により検出された電圧Ｖが、第１の閾値ＳＨ１よりも高い第２の閾値ＳＨ２になったらバッテリ２０への充電を停止する制御部３０を有する。
【００６６】
これにより、制御部３０は、電圧検出部４０により検出された電圧Ｖが、第１の閾値ＳＨ１よりも低下したら発電機１０１を駆動してバッテリ２０に充電し、電圧検出部４０により検出された電圧Ｖが、第１の閾値ＳＨ１よりも高い第２の閾値ＳＨ２になったらバッテリ２０への充電を停止することができる。
【００６７】
従って、バッテリ２０の電圧Ｖは、常に第１の閾値ＳＨ１よりも低下しないように充電して第２の閾値ＳＨ２に達すると充電を止めるので、バッテリ２０の電圧Ｖは適正な値を維持できる。このため、散水装置の電源装置１は、自動車のバッテリのような外部の電源供給装置に頼る必要がなく、長時間安定して散水作業を行うことができる。
【００６８】
制御部３０は、発電機１０１が駆動可能かどうかを監視しており、発電機１０１が駆動しない場合には、制御部３０は、情報端末６０に対して発電機１０１が駆動しない旨の通報をさせる通報装置５を有する。これにより、発電機１０１が駆動しない旨を、使用者の情報端末６０に確実に知らせることができる。
【００６９】
制御部３０は、電圧検出部４０により検出された電圧Ｖが、第１の閾値ＳＨ１よりも低下したときと、この電圧Ｖが第２の閾値ＳＨ２になったときには、通報装置５に指令をして情報端末６０に対して通報させる。
【００７０】
これにより、制御部３０は、電圧検出部４０により検出された電圧Ｖが第１の閾値ＳＨ１よりも低下したときと、電圧Ｖが第２の閾値ＳＨ２になったときには、通報装置５に指令をして情報端末６０に対して通報させる。このため制御部３０が発電機１０１を駆動してバッテリ２０の充電を始めたときと、バッテリ２０の充電を終了するときを、通報装置５を動作させて、使用者の情報端末６０に確実に知らせることができる。
【００７１】
散水装置の電源装置１は、タイヤ８を備えているので、走行可能になっている。これにより、散水装置１００が散水しようとする広場のような広い散水領域において、散水装置の電源装置１は、散水装置１００の移動に伴って移動させることができる。このため、散水装置１００は広い散水領域に対して確実に散水することができる。
【００７２】
以上、実施形態を挙げて本発明を説明したが、各実施形態は一例であり、特許請求の範囲に記載される発明の範囲は、発明の要旨を逸脱しない範囲内で種々変更できるものである。
【００７３】
例えば、図１と図２に示す例では、制御盤３とバッテリボックス４が、台車２の上で離して配置されているが、制御盤３とバッテリボックス４は一体化しても良い。図３に示す散水装置の電源装置１と散水装置１００は、別体でも良いし、一体化しても良い。
【００７４】
図３に示す例では、発電機１０１は、散水装置の電源装置１側に属しているが、散水装置１００側に属していても良い。
【００７５】
次に、電源装置１から供給される電力で駆動する散水装置１００について説明する。
【００７６】
本発明の実施形態に係るコンクリートへの散水装置１００は、図５等で示すように、道路の舗装等で敷設（打設）されたコンクリートＣＮの初期養生のために使用されるものである。
【００７７】
打ち終わった（打設された）コンクリートＣＮでは、水和反応により十分な強度を発現し、所要の耐久力、水密性、鋼材保護性能等の品質を確保し、有害なひび割れを生じさせないようにする必要がある。
【００７８】
このため、打ち込み後（打設後）の一定期間をコンクリートＣＮの硬化に必要な湿度に保ち、有害な作用の影響を受けないようにする作業として、たとえば、散水による養生（初期養生；湿潤養生）が必要になる。
【００７９】
散水装置１００は、散水部１０５と湿潤状態検出部（図６、図７等参照）１０７と制御部（たとえばＰＣ）１０８（図４等参照）とを備えて構成されている。なお、ＰＣ１０８は、制御部３０との間で信号のやり取りをすることができるようになっている。また、ＰＣ１０８の代わりに制御部３０を用いてもよい。
【００８０】
散水部１０５は、打設されたコンクリートＣＮの初期養生のためにコンクリートＣＮに散水するものである。湿潤状態検出部１０７は、打設されたコンクリートＣＮの湿潤状態（たとえばコンクリートＣＮの表面の湿潤状態）を検出するものである。制御部３０は、湿潤状態検出部１０７によって検出されたコンクリート（打設されたコンクリート）ＣＮの湿潤状態に応じて、散水部１０５による散水（散水量等の散水の形態）を制御するように構成されている。
【００８１】
湿潤状態検出部（湿潤状態検出装置）１０７は、図６、図７等で示すように、湿潤状態検出体１０９と、湿潤状態検出体支持体１１１と、養生マット（養生シート）１１３とを備えて構成されている。
【００８２】
湿潤状態検出体１０９として、たとえば、チトセ工業株式会社製のＬｏｇｂｅｅシステムの子器（温湿度ロガー；ＣＷＳ−３０Ｃ）が採用される。
【００８３】
湿潤状態検出体支持体１１１は、打設されたコンクリートＣＮの上に設置されて使用されるようになっている。また、湿潤状態検出体支持体１１１は、湿潤状態検出体１０９を支持するようになっている。湿潤状態検出体支持体１１１が湿潤状態検出体１０９を支持している状態では、湿潤状態検出体１０９の図示しないセンサ部（空気の湿度を検出する湿度センサ部）が、打設されたコンクリートＣＮの上面の上方で、打設されたコンクリートＣＮから所定の距離だけ離れている。
【００８４】
図７で示すように、養生マット１１３は、打設されたコンクリートＣＮ上に設置された湿潤状態検出体支持体１１１と湿潤状態検出体支持体１１１に支持されている湿潤状態検出体１０９とを覆うようになっている。
【００８５】
養生マット１１３で湿潤状態検出体支持体１１１や湿潤状態検出体１０９を覆っている状態では、湿潤状態検出体支持体１１１によって、もしくは、湿潤状態検出体支持体１１１と湿潤状態検出体支持体１１１によって支持されている湿潤状態検出体１０９とによって、養生マット１１３が支持されている。
【００８６】
また、養生マット１１３で湿潤状態検出体支持体１１１や湿潤状態検出体１０９を覆っている状態では、養生マット１１３は、湿潤状態検出体１０９と湿潤状態検出体支持体１１１とのまわりのコンクリートＣＮも覆っている。
【００８７】
これにより、打設されたコンクリートＣＮと養生マット１１３とで、湿潤状態検出体１０９（湿潤状態検出体１０９のセンサ部）のまわりに、閉空間１１５が形成されている。
【００８８】
散水部１０５は、上述したように、打設されたコンクリートＣＮの初期養生のためにコンクリートＣＮに散水するようになっており、水タンク（図示せず）と灌水ホース１１７と水供給部１１９とを備えて構成されている（図５参照）。
【００８９】
灌水ホース１１７は、道路の路盤上等に打設されたコンクリートＣＮの上に設置されるようになっている。なお、灌水ホース１１７としては、たとえば、農業用の市販品が、所定の長さに切断され適宜使用されるようになっている。
【００９０】
水供給部１１９は、水タンク内の水を昇圧して灌水ホース１１７に供給するものであり、散水ポンプ１０２を備えて構成されている。水タンク内の水は、配管部材を通って散水ポンプ１０２まで流れ散水ポンプ１０２で所定の圧力まで昇圧されるようになっている。散水ポンプ１０２で昇圧され散水ポンプ１０２から吐出した水は、灌水ホース１１７内に供給されるようになっている。
【００９１】
灌水ホース１１７に供給された水は、灌水ホース１１７から放出され（灌水ホース１１７に設けられている多数の孔を通って灌水ホース１１７の内部から灌水ホース１１７の外部に放出され）、コンクリートＣＮの初期養生のために、コンクリートＣＮの上にほぼ均等に散布されるようになっている。なお、図５では灌水ホース１１７の多数の孔の図示は省略している。
【００９２】
一度設置された灌水ホース１１７は、この設置形態を変えることなく、コンクリートＣＮの上に設置された形態や位置のままで、コンクリートＣＮの上にほぼ均等に水を散布するようになっている。
【００９３】
湿潤状態検出体１０９は、図６等で示すように、筐体１２１とこの筐体１２１の内部に設置され空気の湿度を検出するセンサ部（図示せず）とを備えて構成されている。筐体１２１の一方の端部には複数の貫通孔１２３が形成されており、これらの貫通孔１２３を通って筐体１２１の外部の空気が筐体１２１の内部入るようなっている。そして、センサ部は、筐体１２１内に入った空気の湿度を検出するようになっている。これにより、湿潤状態検出体１０９はこの周辺部における空気の湿度を検出することができるようになっている。
【００９４】
また、湿潤状態検出体１０９は、たとえば無線送信部で構成されている出力部１２５を備えており、検出した空気の湿度を出力部から他の機器に送信するようになっている。
【００９５】
湿潤状態検出体１０９が湿潤状態検出体支持体１１１で支持されて湿潤状態検出体支持体１１１が打設されたコンクリートＣＮに設置されている状態では、複数の貫通孔１２３が形成されている筐体１２１の一方の端部が、コンクリートＣＮ側（下側）に位置している。
【００９６】
また、湿潤状態検出体１０９や湿潤状態検出体支持体１１１が打設されたコンクリートＣＮに設置されている状態では、複数の貫通孔１２３が形成されている筐体１２１の一方の端が、打設されたコンクリートＣＮに対向しているとともに、打設されたコンクリートＣＮから所定の距離（たとえば４０ｍｍ〜８０ｍｍ）だけ離れている。
【００９７】
養生マット１１３は、たとえば、不織布等で構成されており、吸水性や僅かな通気性や僅かな透湿性を備えている。したがって、養生マット１１３と打設されたコンクリートＣＮとで形成されている閉空間（湿潤状態検出体１０９まわりの閉空間）１１５と、この閉空間１１５の外部の空間（大気）との間では、空気や水蒸気の行き来きがごく僅かしかなく、外部の空間で風が吹いていても、閉空間１１５内はほぼ無風状態になっている。
【００９８】
閉空間１１５が形成されている状態では、上述したように、閉空間１１５内に湿潤状態検出体１０９が位置しており、湿潤状態検出体１０９のセンサ部は、打設されたコンクリートＣＮから離れており、湿潤状態検出体支持体１１１から離れており、養生マット１１３から離れている。
【００９９】
そして、湿潤状態検出体１０９のセンサ部は、閉空間１１５内の湿度を検出するようになっている。なお、閉空間１１５内の湿度は、たとえば、散水がされたコンクリートＣＮの上面の湿度よりも僅かに低く、閉空間１１５の外部の空気の湿度よりも高くなっている。ただし、散水がされたコンクリートＣＮの上面の湿度と閉空間１１５内の湿度との間には一定の関係（たとえば、相関係数が「１」に近い相関関係）にある。したがって、湿潤状態検出体１０９のセンサ部で検出した閉空間１１５内の空気の湿度に、たとえばＰＣ１０８で一定の演算を施すことで、コンクリートＣＮの上面の湿度（湿潤状態）をもとめることができる。
【０１００】
湿潤状態検出体支持体１１１について、図６等を参照しつてさらに詳しく説明する。
【０１０１】
湿潤状態検出体支持体１１１は、たとえば矩形な平板状の天板部（厚さ方向が上下方向になっている天板部）１２７と、この天板部１２７の外周から下方に突出している側板部１２９とを備えて枡状に形成されている。
【０１０２】
湿潤状態検出体１０９は天板部１２７の中央で天板部１２７に一体的に支持されており、湿潤状態検出体１０９が湿潤状態検出体支持体１１１に支持されている状態では、湿潤状態検出体１０９の複数の貫通孔１２３が形成されている部位（下側の部位）が、湿潤状態検出体支持体１１１の枡の内部に位置している。
【０１０３】
湿潤状態検出体１０９の貫通孔１２３が形成されている部位とは反対側の部位（上側の部位）が、天板部１２７から上方に突出している。なお、天板部１２７に対する湿潤状態検出体１０９の位置（上下方向での位置）は一定値に固定されているが調整自在になっていてもよい。
【０１０４】
また、側板部１２９の一部は切り欠かれている。すなわち、側板部１２９には切り欠き１３０が形成されている。
【０１０５】
湿潤状態検出体支持体１１１と湿潤状態検出体支持体１１１に設置されている湿潤状態検出体１０９とが、打設されたコンクリートＣＮの上面に設置された状態では、湿潤状態検出体支持体１１１の先端（下端）が打設されたコンクリートＣＮの上面に接しており、天板部１２７がコンクリートＣＮの上面から離れてコンクリートＣＮの上方に位置しており、湿潤状態検出体１０９の貫通孔１２３が形成されている下端部が、天板部１２７よりも下方でコンクリートＣＮの上面から離れてコンクリートＣＮの上方に位置している。
【０１０６】
また、側板部１２９の先端（湿潤状態検出体支持体１１１の下端）には、平滑状部（鍔状部）１３１が設けられている。平滑状部１３１は平板状に形成されており、厚さ方向が天板部１２７の厚さ方向と一致している。また、平滑状部１３１は側板部１２９の先端からたとえば外側に向かって突出している。
【０１０７】
平滑状部１３１が設けられていることで、打設されたコンクリートＣＮの上面に設置された湿潤状態検出体支持体１１１の、打設されたコンクリートＣＮへの沈み込みが防止されるようになっている。
【０１０８】
養生マット１１３で湿潤状態検出体１０９とこの湿潤状態検出体１０９を支持している湿潤状態検出体支持体１１１と覆っている状態では、図７で示すように、養生マット１１３のうちの湿潤状態検出体１０９や湿潤状態検出体支持体１１１と係合しているところが持ち上がっており、この持ち上がっているところの周辺の部位１３３は、厚さ方向が上下方向になっており、打設されたコンクリートＣＮに接している。そして、打設されたコンクリートＣＮと持ち上がっているところの養生マット１１３の周辺部位１３３とで閉空間１１５が形成されている。
【０１０９】
また、湿潤状態検出体支持体１１１の側板部１２９に切り欠き１３０が形成されていることで、養生マット１１３を介して、閉空間１１５と閉空間１１５の外部の空間との間で僅かな空気や水蒸気の出入りがあるようになっている。
【０１１０】
なお、湿潤状態検出体支持体１１１を、図８で示すように、天板部１２７と複数本の支柱１３５とで形成してもよい。この場合、複数本の支柱１３５が図６で示す側板部１２９と切り欠き１３０との機能を果たすことになる。
【０１１１】
次に、制御部３０による散水部１０５の制御についてさらに詳しく説明する。
【０１１２】
湿潤状態検出体１０９が閉空間１１５内の湿度を検出する。この検出した湿度が、上述したように、打設されたコンクリートＣＮの上面の湿潤状態と関連している。そして、湿潤状態検出体１０９が検出した閉空間１１５内の湿度によって、散水部１０５を制御している。
【０１１３】
たとえば、閉空間１１５内の湿度と打設されたコンクリートＣＮの上面の湿潤状態との関係を予め別途もとめておいて、湿潤状態検出体１０９で検出した閉空間１１５内の湿度の値が第１の所定の閾値になったときには、コンクリートＣＮの湿潤状態（湿度）が第１の所定の閾値（閉空間１１５内の第１の所定の閾値とは別の第１の所定の閾値）になったものとみなして、散水部１０５による散水を開始し、湿潤状態検出体１０９で検出した閉空間１１５内の湿度の値が第２の所定の閾値になったときに、コンクリートＣＮの湿潤状態（湿度）が第２の所定の閾値（閉空間１１５内の第２の所定の閾値とは別の第２の所定の閾値）になったものとみなして、散水部１０５による散水を停止するようになっている。なお、第２の所定の閾値での湿度の値は、第１の所定の閾値での湿度の値よりも大きい。
【０１１４】
さらに、湿潤状態検出体１０９で検出した閉空間１１５内の湿度の値に応じて、散水部１０５での所定の時間あたりの散水量（たとえば、Ｌ／ｍｉｎ；「０」も含む）を変えてもよい。たとえば湿度のパーセントの値が小さくなるにしたがって散水量を増やし、湿度のパーセントの値が大きくなるにしたがって散水量を減らすようにしてもよい。
【０１１５】
また、閉空間１１５内の湿度に加えて温度を検出し、これらの検出した湿度と温度とに応じて、散水部１０５での散水量を変えてもよい。たとえば、温度は高くなるにしたがって散水量を増やし、温度が低くなるにしたがって散水量を減らすようにしてもよい。
【０１１６】
ところで、散水装置１００には、図４や図５で示すように、温湿度ロガー親機（たとえば、チトセ工業株式会社製のＬｏｇｂｅｅシステムの温湿度ロガー親機；ＣＷＢ−２０Ｓ；図４参照）１３７と、ＵＳＢリレー出力ＢＯＸ（たとえば、チトセ工業株式会社製のＬｏｇｂｅｅシステムのＵＳＢリレー出力ＢＯＸ；ＣＲＣ−３０Ｉ／Ｏ；図示せず）と、外部アンテナ（たとえば、チトセ工業株式会社製のＬｏｇｂｅｅシステムの外部アンテナ；ＣＷＢ−２０Ｓ；図４、図５参照）１３９と、中継器（チトセ工業株式会社製のＬｏｇｂｅｅシステムのモバイルバッテリ付き温湿度ロガー中継器；ＣＷＢ−２０Ｒ；図５参照）１４１とが設けられている。なお、中継器１４１は、中継器用防水ＢＯＸ１４３内に収容されている。
【０１１７】
そして、湿潤状態検出部１０７（湿潤状態検出体１０９）が検出し無線送信したコンクリートＣＮ上の湿潤状態を、中継器１４１を介して外部アンテナ１３９（温湿度ロガー親機１３７）で受信するようになっている。なお、中継器１４１は削除されていてもよい。
【０１１８】
また、温湿度ロガー親機１３７で受信されたコンクリートＣＮ上の湿潤状態はＰＣ１０８に送られ、ＰＣ１０８は、送られてきたコンクリートＣＮ上の湿潤状態に応じ、ＵＳＢリレー出力ＢＯＸを介して、散水部１０５（電動モータ１０３；散水ポンプ１０２）を稼働させまた停止すようになっている。
【０１１９】
次に、散水装置１００の動作について説明する。
【０１２０】
初期状態として、コンクリートＣＮは打設された直後であり、灌水ホース１１７や湿潤状態検出部１０７等はスタンバイ状態になっており、コンクリートＣＮへの散水をただちにすることができるようになっているものとする。
【０１２１】
上記初期状態において、散水装置１００は、打設されたコンクリートＣＮや湿潤状態検出体１０９や湿潤状態検出体支持体１１１を覆っている養生マット１１３への散水を開始する。この散水により、水が養生マット１１３を通って打設されたコンクリートＣＮを濡らす。なお、灌水ホース１１７は、たとえば、養生マット１１３の上に配置されている。
【０１２２】
上記散水をしているときに、所定の時間間隔（たとえば、１秒〜６０秒の間の所定の時間間隔）をあけて、湿潤状態検出部１０７が、閉空間１１５内の湿度を検出する。
【０１２３】
そして、湿潤状態検出体１０９で検出した閉空間１１５内の湿度の値が第１の所定の閾値になったときには、散水部１０５による散水を開始し、湿潤状態検出体１０９で検出した閉空間１１５内の湿度の値が第２の所定の閾値になったときに、散水部１０５による散水を停止する。
【０１２４】
また、散水部１０５による最初の散水を開始したときから、打設されたコンクリートＣＮの養生が完了するだけの時間（たとえば数日）が経過したときには、散水部１０５による散水を停止する。
【０１２５】
また、湿潤状態検出体１０９で検出した閉空間１１５内の湿度や散水部１０５の駆動状態や図示しない水タンク内の水量（図示しない水量検出部で検出した水量）を、通報装置５を用いて携帯端末６０に送ってもよい。
【０１２６】
散水装置１００によれば、湿潤状態検出部１０７によって検出されたコンクリートＣＮの表面の湿潤状態に応じて散水をするように構成されているので、無人運転にて、打設したコンクリートＣＮに適量の水を散水することができる。
【０１２７】
すなわち、湿潤状態検出体１０９で検出した閉空間１１５内の湿度の値が第１の所定の閾値になったときには、散水部１０５による散水を開始し、湿潤状態検出体１０９で検出した閉空間１１５内の湿度の値が第１の所定の閾値よりも大きい第２の所定の閾値になったときに、散水部１０５による散水を停止するようになっているので、自動運転にて、打設されたコンクリートＣＮに過不足の無い量の水を散水することができ、打設されたコンクリートＣＮの養生を確実に行うことができるとともに、コンクリートＣＮの養生に要する水の量を節約することができる。
【０１２８】
また、散水装置１００によれば、湿潤状態検出体１０９と湿潤状態検出体支持体１１１と養生マット１１３とが打設されたコンクリートＣＮの上に設置された状態で、湿潤状態検出体１０９のセンサ部のまわりに閉空間１１５が形成されるので、この閉空間１１５の湿度を湿潤状態検出体１０９で測定することで、打設されたたコンクリートＣＮの湿潤状態を適切に検出することができる。
【０１２９】
たとえば、打設されたコンクリートＣＮの上に湿潤状態検出体１０９を直接置いただけでは、湿潤状態検出体１０９は大気の湿度に近い湿度を検出してしまい、打設されたコンクリートＣＮの湿潤状態を検出することはできない。
【０１３０】
また、湿潤状態検出体支持体１１１を用いることなく、打設されたコンクリートＣＮの上に湿潤状態検出体１０９を直接置き、打設されたコンクリートＣＮと湿潤状態検出体１０９とに養生マット１１３を直接被せた態様（直接設置態様）では、湿潤状態検出体１０９のセンサ部が内部に設置されている筐体１２１の内部が水分で飽和状態になりやすく、誤検知をするおそれが高い。
【０１３１】
さらに、上記直接設置態様では、打設されたコンクリートＣＮの表面が乾燥してしまっても、養生マット１１３が湿潤状態になっていれば、打設されたコンクリートＣＮの湿潤状態が良好であると検知してしまう。
【０１３２】
これに対して、散水装置１００では、閉空間１１５が形成されており、この閉空間１１５内に、コンクリートＣＮや養生マット１１３から離れて湿潤状態検出体１０９のセンサ部が配置されているので、湿潤状態検出体１０９のセンサ部が内部に設置されている筐体１２１の内部が水分で飽和状態になることもなく、打設されたコンクリートＣＮの湿潤状態に大きく依存する閉空間１１５内の正確な湿度を検知することができ、打設されたコンクリートＣＮの湿潤状態を正しく検知することができる。
【０１３３】
また、湿潤状態検出部１０７においては、閉空間１１５が形成されており、しかも、複数の貫通孔１２３が形成されている筐体（湿潤状態検出体１０９の筐体）１２１の一方の端が、打設されたコンクリートＣＮに対向しているので、打設されたコンクリートＣＮの表面が乾燥している一方で養生マット１１３が湿潤状態になっているときでも、打設されたコンクリートＣＮの湿潤状態を一層正確に検出することができる。
【０１３４】
また、湿潤状態検出部１０７においては、閉空間１１５が形成されているので、風等の外部の影響を受けることなく、閉空間１１５の湿度を湿潤状態検出体１０９で検出することができ、打設されたコンクリートＣＮの湿潤状態を正しく検知することができる。
【０１３５】
ところで、散水装置１００（たとえば、制御部３０）に計時部（タイマ）と動作切り換え部（動作切り換えスイッチ）とを設けてもよい。
【０１３６】
そして、制御部３０が、上記動作切り換え部からの入力信号に応じて、湿潤状態検出部１０７によって検出された前記コンクリート表面の湿潤状態に応じて前記散水部による散水を制御するか、もしくは、前記計時部で計測した時刻の経過に応じて前記散水部による散水を制御するように構成してもよい。
【０１３７】
たとえば、動作切り換え部からの入力信号が、湿潤状態検出部で検出した湿潤状態で散水部１０５をオン・オフするものである場合には、コンクリートＣＮの表面の湿潤状態に応じて散水部１０５による散水をし、もしくは、散水部１０５による散水を停止するようになっていてもよい。
【０１３８】
また、動作切り換え部からの入力信号が、計時部で計測した時刻の経過に応じて散水部１０５をオン・オフするものである場合には、所定の時刻が経過する毎に、散水部１０５による散水と散水の停止とを繰り返すようになっていてもよい。
【０１３９】
ところで、散水装置１００を、打設されたコンクリートの初期養生のために前記コンクリートに散水する散水部と、前記コンクリートの表面の湿潤状態を検出する湿潤状態検出部と、前記湿潤状態検出部によって検出された前記コンクリート表面の湿潤状態に応じて、前記散水部による散水を制御する制御部とを有する散水装置として把握してもよい。
【０１４０】
また、湿潤状態検出部１０７を、湿潤状態検出体と、打設されたコンクリートに設置され、前記湿潤状態検出体のセンサ部が前記コンクリートから所定の距離だけ離れるように前記湿潤状態検出体を支持する湿潤状態検出体支持体と、前記湿潤状態検出体支持体と前記湿潤状態検出体支持体に支持されている前記湿潤状態検出体とが前記コンクリートに設置された状態で、前記湿潤状態検出体と前記湿潤状態検出体支持体とを覆う養生マットとを有し、前記コンクリートに設置された前記湿潤状態検出体支持体とこの湿潤状態検出体支持体によって支持されている湿潤状態検出体とを、前記養生マットで覆っている状態では、前記養生マットが前記湿潤状態検出体支持体によって前記養生マットが支持され、前記コンクリートと前記養生マットとで、前記湿潤状態検出体のまわりに閉空間が形成されている湿潤状態検出部装置として把握してもよい。
【符号の説明】
【０１４１】
１  散水装置の電源装置
２  台車
３  制御盤
４  バッテリボックス
５  通報装置
６  板状の部材
７  枠体
８  タイヤ
９  車輪止め
１０  車輪止めケース
１１  吊ボルト
２０  バッテリ
３０  制御部
４０  電圧検出部
６０  情報端末
１００  散水装置
１０１  発電機
１０２  散水ポンプ
１０３  散水ポンプの電動モータ
１０５  散水部
１０７  湿潤状態検出部
１０９  湿潤状態検出体
１１１  湿潤状態検出体支持体
１１３  養生マット
１１５  閉空間
ＣＮ  コンクリート
【図１】
2018109347.tif 000003
【図２】
2018109347.tif 000004
【図３】
2018109347.tif 000005
【図４】
2018109347.tif 000006
【図５】
2018109347.tif 000007
【図６】
2018109347.tif 000008
【図７】
2018109347.tif 000009
【図８】
2018109347.tif 000010